(57)【要約】      （修正有）【課題】ショックリーダーを簡単に取り出せる釣り用バッグを提供する。【解決手段】糸通し孔と糸通し孔に接したスリット部分とを有してなる樹脂製プレート６を釣り用バッグ１に備える。また、ショックリーダー収納ポケット２を釣り用バッグに設ける。バッグに収納したショックリーダーを中から取り出さなくても、一度セットしておけば、糸通し孔より引っ張り出すことができ、必要分を切り出した後、スリット部分に残りの糸を挟んでおけば次回も簡単に糸を取り出すことができる。【選択図】図１
0003184797.tif 000002
【実用新案登録請求の範囲】
【請求項１】
糸通し孔と、前記糸通し孔に接したスリット部分とを有してなる樹脂製プレートが備えられていることを特徴とする釣り用バッグ。
【請求項２】
糸通し孔と、前記糸通し孔に接したスリット部分とを有してなる樹脂製プレートが、釣り用バッグを構成する着脱可能な留め具付き外ポケットの一部に位置し、前記外ポケットの外周辺のうち、一部分が縫い付けられ、残りの外周辺上に着脱可能な留め具が設けられ、前記留め具を留めた状態で開口部が２つになり、外した状態で外ポケットの一部が外側に向かって捲れるとともに開口部が１つになることを特徴とする釣り用バッグ。
【請求項３】
前記糸通し孔は、少なくとも一方向に向かって徐々に狭くなりスリット部分へ接された構造であることを特徴とする請求項１乃至請求項２に記載のいずれか１項に記載の釣り用バッグ。
【考案の詳細な説明】
【技術分野】
【０００１】
本考案は、釣り用バッグに関するものである。
【背景技術】
【０００２】
従来、釣り道具を収納するバッグとして、携帯用であって小物などを収納できる腰に掛けるタイプの釣り用バッグが利用されている。これは、釣りを行う際、いわゆるポイントを探して一定距離を移動するため、最低限の道具などを収納しておき、必要な場合以外はその場で作業ができるように所持するアイテムである。  
【０００３】
そして、このようなバッグとして、一般のウエストポーチで代用したもの、釣り用に多くのポケットが備わったもの、又は撥水加工が施されたもの等が存在する。
【特許文献１】特開２０１０−３５４６８
【特許文献２】特開２００８−１７３０７１
【考案の開示】
【考案が解決しようとする課題】
【０００４】
しかし、ルアー釣りでは、ショックリーダーとよばれる道糸の先端部分に数十センチ程度結びつける補強糸を使用するが、このショックリーダーが痛んだり、切れたりした場合にすぐに交換したくても、バッグの奥から取り出すにも時間がかかり、更に夜間の釣りの際には糸先がどこにあるかを探し当てることも大変であった。
【０００５】
よって、ショックリーダーをすばやく取り出すために工夫された釣り用バッグの開発が望まれていた。
【０００６】
本考案は、上記問題を解決するため成されたもので、バッグに収納したショックリーダーを中から取り出さなくても、一度セットしておけば、糸通し孔より引っ張り出すことができ、必要分を切り出した後、スリット部分に残りの糸を挟んでおけば次回も簡単に糸を取り出せる釣り具ケースを提供する。
【課題を解決するための手段】
【０００７】
糸通し孔と、前記糸通し孔に接したスリット部分とを有してなる樹脂製プレートが、釣り用バッグを構成する着脱可能な留め具付き外ポケットの一部に位置し、前記外ポケットの外周辺のうち、一部分が縫い付けられ、残りの外周辺上に着脱可能な留め具が設けられ、
前記留め具を留めた状態で開口部が２つになり、外した状態で外ポケットの一部が外側に向かって捲れるとともに開口部が１つになる釣り用バッグの構造とする。
【考案の効果】
【０００８】
本考案によれば、必要時に簡単に糸を取り出せ、スリット構造により、糸がバッグ内に引っ込んでしまうことを防ぐことができ、また簡単に交換できる。
【考案を実施するための最良の形態】
【０００９】
糸通し孔と、前記糸通し孔に接したスリット部分とを有してなる樹脂製プレートを、釣り用バッグを構成する着脱可能な留め具付き外ポケットの一部に設け、前記外ポケットの外周辺のうち、一部分を縫い付け、残りの外周辺上に着脱可能な留め具を設け、前記留め具を留めた状態で開口部が２つになり、外した状態で外ポケットの一部が外側に向かって捲れるとともに開口部が１つになる釣り用バッグを構成する。
【実施例１】
【００１０】
以下、図面を参照して本考案に係る釣り用バッグの実施例を説明する。図１は、本考案に係る釣り用バッグの正面実施例図である。図２は、ショックリーダーを収納した状態を示す図である。図３は、本考案に係る釣り用バッグの樹脂製プレートの孔及びスリット部分の拡大図である。また、図４は、本考案に係る釣り用バッグの樹脂製プレートの孔及びスリット部分の形状バリエーションの例示図である。
【００１１】
まず、糸通し孔４と、前記糸通し孔４に接したスリット部分５とを有してなる樹脂製プレート６を形成する。
【００１２】
このとき、糸通し孔４の大きさは、ショックリーダー７の太さを上回る大きさであれば良く、樹脂製プレート面を貫通させて例えば、図３及び図４のように形成する。
【００１３】
そして、糸通し孔４の形状は、好ましくは、図３及び図４のＢのように後述のスリット部分５に向かって徐々に狭くなりスリット部分５へ接する形状が望ましい。
【００１４】
ここで、「接する」とは、スリット部分５が糸通し孔４と繋がっていることを意味する。
【００１５】
また、スリット部分５を糸通し孔４に接して線状に設けることで、糸先をスリット部分５に挟んで固定させることができる。具体的には、ショックリーダー７を糸通し孔４を通して引っ張りだし、必要な長さで切り取り、残りの糸先をスリット部分５までスライドして挟んで固定させることができる。
【００１６】
このスリット部分５を長く又は弧状に、もしくは長く且つ弧状に成型すれば、スリット部分５に挟まれた糸がバッグ内に引っ込んでしまうことを防ぐ効果が上昇する。
【００１７】
更に、糸通し孔４に接するスリット部分５は、１つに限定せず、好きな位置で固定できるように図４のＣのように数か所設けても構わない。
【００１８】
また、この樹脂製プレート６に、図１や図２のようにプリント、エンボス、凸凹加工等による図柄模様を施しても良い。
【００１９】
次に、上記構造の樹脂製プレート６を予め釣り用バッグ本体に設けた孔又は開口部の位置に重ね合わせて取付ければ、本考案の釣り用バッグ１が完成する。
【００２０】
通常、ショックリーダー７は、ボビンという円盤状の糸巻き枠に巻かれた状態で販売されている。よって、図２のように、ショックリーダー収納ポケット２として使用する外ポケットを設け、この外ポケットの一部に樹脂製プレート６を設けると良い。
【００２１】
そして、外ポケットの外周辺のうち、一部分を縫い付け、残りの外周辺上に着脱可能な留め具を設け、前記留め具を留めた状態で開口部が２つになり、外した状態で外ポケットの一部が外側に向かって捲れるとともに開口部が１つになる釣り用バッグを構成する。
【００２２】
ここで、外ポケットの一部が捲れるように、外周辺の一部分を縫い付けず、一部が捲れた状態で形成される１つの開口部の幅をボビン９が収納できる寸法とする。
【００２３】
そして、捲れた部分は、実施例のように留め具３により釣り用バッグ本体と着脱可能な構造とし、留め具３として凸凹式で一対のボタンや面ファスナー、磁石等を使用する。
【００２４】
こうして、実施例における前記留め具３を留めた状態では、開口部が平面側の第二開口部１１と側面側の第三開口部１２とに分割形成され、外した状態では、外側に向かって捲れる為、１つの開口部となってボビン９を収納しやすく且つ、ショックリーダー７の糸先を摘まんで樹脂製プレート６の糸通し孔４にも通しやすく、最終的にスリット部分５に固定させやすくなる。
【００２５】
また、ポケットの全体形状は、実施例のような略Ｕ字形状が一般的であるが、円形状等でも良い。
【００２６】
なお、第一開口部１０付近にカラビナ式フックを設けたり、ベルト通しを設けたりすれば、更に実用的な釣り用バッグとなる。
【００２７】
このように、好ましい実施例を挙げて本考案を説明したが、本考案はその実施例に限定されるものではなく、本考案の要旨の範囲内で種々に組み合わせや改変できる。
【図面の簡単な説明】
【００２８】
【図１】本考案に係る釣り用バッグの正面実施例図である。
【図２】本考案に係る釣り用バッグのショックリーダーを収納した状態を示す図である。
【図３】本考案に係る釣り用バッグの樹脂製プレートの孔及びスリット部分の拡大図である。
【図４】本考案に係る釣り用バッグの樹脂製プレートの孔及びスリット部分の形状バリエーションの例示図である。
【符号の説明】
【００２９】
１  釣り用バッグ
２  ショックリーダー収納ポケット
３  留め具
４  糸通し孔
５  スリット部分
６  樹脂製プレート
７  ショックリーダー（補強糸）
８  辺
９  ボビン
１０  第一開口部
１１  第二開口部
１２  第三開口部
【図１】
0003184797.tif 000003
【図２】
0003184797.tif 000004
【図３】
0003184797.tif 000005
【図４】
0003184797.tif 000006